(57)【要約】【課題】  任意の箇所への設置という持ち運び可能な空気清浄機の利便性を最大限に活かしつつ、そのための搬送の際の衝撃等による清浄機本体内に吸収した除去物質の再飛散を充分に抑制する。【解決手段】  空気清浄機１０は、吸込口１８及び吹出口２０を備えた可搬型の清浄機本体１２と、この清浄機本体１２の内部に配置され吸込口１８から浄化すべき空気を吸入すると共に吹出口２０から空気を吐出させるファン１４と、清浄機本体１２に取り付けられるフィルタ１６とを備えている。このフィルタ１６は、少なくともメインフィルタ２６を有し、このメインフィルタ２６はファン１４よりも下流側であって吹出口２０よりも上流側に設置されている。【選択図】        図４
2008093639.tif 000002
【特許請求の範囲】
【請求項１】
吸込口及び吹出口を備えた可搬型の清浄機本体と、前記清浄機本体の内部に配置され前記吸込口から浄化すべき空気を吸入すると共に前記吹出口から空気を吐出させるファンと、前記清浄機本体に取り付けられるフィルタとを備えた空気清浄機において、前記フィルタは、少なくともメインフィルタを有し、前記メインフィルタは前記ファンよりも下流側であって前記吹出口よりも上流側に設置されていることを特徴とする空気清浄機。
【請求項２】
請求項１に記載された空気清浄機において、前記メインフィルタは、除去物質の吸着面が、前記洗浄機本体の内側を向くように配置されていることを特徴とする空気清浄機。
【請求項３】
請求項１又は請求項２のいずれかに記載された空気清浄機において、前記メインフィルタは、集塵フィルタ及び脱臭フィルタから成っていることを特徴とする空気清浄機。
【請求項４】
請求項３に記載された空気清浄機において、前記脱臭フィルタの方が前記集塵フィルタよりも下流側に設置されていることを特徴とする空気清浄機。
【請求項５】
請求項１乃至請求項４のいずれかに記載された空気清浄機において、前記フィルタは、更にプレフィルタを有し、前記プレフィルタは前記ファンよりも上流側に設置されていることを特徴とする空気清浄機。
【請求項６】
請求項５に記載された空気清浄機において、前記メインフィルタは前記プレフィルタよりも細かい目を有し、前記プレフィルタを通過した前記除去物質を捕捉することを特徴とする空気清浄機。
【請求項７】
請求項４乃至請求項６のいずれかに記載された空気清浄機において、前記プレフィルタは、前記吸込口に取り付けられていることを特徴とする空気清浄機。
【請求項８】
請求項１乃至請求項７のいずれかに記載された空気清浄機において、前記清浄機本体内の前記吸込口と前記メインフィルタとの間に、前記清浄機本体内に吸引した前記除去物質が前記吸込口まで逆流するのを抑制する逆流抑制手段が更に設けられていることを特徴とする空気清浄機。
【請求項９】
請求項８に記載された空気清浄機において、前記逆流抑制手段は、前記ファンと前記メインフィルタとの間に配置され、前記ファンからの送風を下流側へ通気する一方、前記ファンより下流側に存在する前記除去物質の逆流を抑制する孔が形成された逆流防止パネルであることを特徴とする空気清浄機。
【請求項１０】
請求項８に記載された空気清浄機において、前記逆流抑制手段は、前記吸込口と前記ファンとの間に配置され、前記ファンにより前記清浄機本体内に吸引された前記除去物質が前記吸込口まで逆流するのを抑制する孔が形成された逆流防止パネルであることを特徴とする空気清浄機。
【請求項１１】
請求項１乃至請求項１０のいずれかに記載された空気清浄機において、前記ファンは、プロペラファンであることを特徴とする空気清浄機。
【請求項１２】
請求項１乃至請求項１１のいずれかに記載された空気清浄機において、前記吸込口は前記清浄機本体の側面に形成されていることを特徴とする空気清浄機。
【請求項１３】
請求項１２に記載された空気清浄機において、前記吸込口は、前記清浄機本体の前面パネルの左右端よりも前記清浄機本体の中央側に凹んだ位置に形成されていることを特徴とする空気清浄機。
【請求項１４】
請求項１乃至請求項１３のいずれかに記載された空気清浄機において、前記吹出口は前記清浄機本体の前面に形成されていることを特徴とする空気清浄機。
【請求項１５】
請求項１乃至請求項１４のいずれかに記載された空気清浄機において、前記フィルタは前記清浄機本体に着脱自在に取り付けられていることを特徴とする空気清浄機。
【請求項１６】
請求項５乃至請求項１５のいずれかに記載された空気清浄機において、前記プレフィルタは、ペットの毛や埃塵を捕捉することができる０．１ｍｍ〜３ｍｍの目を有することを特徴とする空気清浄機。
【請求項１７】
請求項３乃至請求項１６のいずれかに記載された空気清浄機において、前記集塵フィルタは、ＨＥＰＡフィルタ又はＵＬＰＡフィルタその他のたばこの煙粒子、花粉、アレル物質、ウィルス、カビ菌等のμｍ単位の大きさを有する物質を捕捉することができるフィルタであることを特徴とする空気清浄機。
【請求項１８】
請求項３乃至請求項１７のいずれかに記載された空気清浄機において、前記脱臭フィルタは、ポリプロピレン繊維から成るシートに、臭気物質を吸着することができる活性炭を接着させて形成された活性炭フィルタであることを特徴とする空気清浄機。
【発明の詳細な説明】
【技術分野】
【０００１】
本発明は、家屋内等で使用される持ち運び可能な小型の空気清浄機の改良に関し、特に、回収した花粉やアレル物質（ダニの糞や死骸等）、ウィルス、たばこの煙の粒子等の除去物質が、持ち運びの際の衝撃等により清浄機本体から外部へ再飛散するのを防止することに関するものである。
【背景技術】
【０００２】
家屋内の衛生を保持するために使用される空気清浄機は、家屋内において、ユーザーが望む任意の場所に設置して使用することができるように、可搬型の清浄機本体を備えているものが多い。このような空気清浄機においては、清浄機本体の内部に設けられたファンにより、浄化すべき空気を、清浄機本体に形成された吸込口から清浄機本体内に取り入れて、清浄機本体内に設置されたメインの集塵フィルタにより花粉等を除去して浄化し、吹出口から吐出させて、再度室内に供給する。
【０００３】
このような空気清浄機は、従来、吸込口付近に花粉等を集塵する集塵フィルタが設置されていた。より具体的には、空気の流れの上流側から、吸込口、集塵フィルタ、ファンの順に配置され、花粉等を吸着する集塵フィルタは、ファンよりも上流側に設置されていた（例えば、特許文献１〜３参照）。このため、この従来の空気清浄機では、持ち運びに伴う床への設置時等の衝撃や、また、吸込のＯｎ／Ｏｆｆ時に発生する正圧／負圧の逆転等により、集塵した花粉等の除去物質が、吸込口を通じて清浄機本体から外部へ再飛散し、清浄効果や集塵効率を低減させる問題があった。
【０００４】
とりわけ、従来の空気清浄機は、清浄機本体の前面から吸気する型式が多く、また、吸気効率を考慮して、その前面において比較的大きな吸込口に設定されていたため、それだけ、除去物質が再飛散する確率が高かったといえる。この場合、特に、空気清浄機のファンとして、通常使用されるシッロコファンの場合には、清浄機本体、ひいては、吸込口を大きく設定せざるを得ず、また、円周方向へ対流を生じさせるため、比較的面積の大きい前面吸気（上面排気）とせざるを得ないことから（例えば、特許文献４参照）、除去物質が再飛散しやすい傾向があった。
【０００５】
一方、軸流ファン（プロペラファン）を使用することにより、小型化は図ることができるものの、従来は、軸線方向への対流を生じさせるプロペラファンの特性に応じて、同様に、比較的面積の大きい前面吸気（後面排気）とされていたため、その点において、除去物質の再飛散の抑制には限界があると共に、後面から排気されるために、家屋の壁や角等に設置することができず、設置箇所に制限が伴う問題もあった。
【特許文献１】特開平６−１９８１１４号公報
【特許文献２】特開２００２−１４３２８２号公報
【特許文献３】特開２００３−１６１４８２号公報
【特許文献４】特開２００１−３４０７２３号公報
【発明の開示】
【発明が解決しようとする課題】
【０００６】
本発明が解決しようとする課題は、上記の問題点に鑑み、任意の箇所への設置という持ち運び可能な空気清浄機の利便性を最大限に活かしつつ、そのための搬送の際の衝撃等による清浄機本体内に吸収した除去物質の再飛散を充分に抑制することができる空気清浄機を提供することにある。
【課題を解決するための手段】
【０００７】
本発明は、上記の課題を解決するための第１の手段として、吸込口及び吹出口を備えた可搬型の清浄機本体と、この清浄機本体の内部に配置され吸込口から浄化すべき空気を吸入すると共に吹出口から空気を吐出させるファンと、清浄機本体に取り付けられるフィルタとを備えた空気清浄機において、フィルタは、少なくともメインフィルタを有し、このメインフィルタはファンよりも下流側であって吹出口よりも上流側に設置されていることを特徴とする空気清浄機を提供するものである。
【０００８】
本発明は、上記の課題を解決するための第２の手段として、上記第１の解決手段において、メインフィルタは、除去物質の吸着面が、洗浄機本体の内側を向くように配置されていることを特徴とする空気清浄機を提供するものである。
【０００９】
本発明は、上記の課題を解決するための第３の手段として、上記第１又は第２のいずれかの解決手段において、メインフィルタは、集塵フィルタ及び脱臭フィルタから成っていることを特徴とする空気清浄機を提供するものである。
【００１０】
本発明は、上記の課題を解決するための第４の手段として、上記第３の解決手段において、脱臭フィルタの方が集塵フィルタよりも下流側に設置されていることを特徴とする空気清浄機を提供するものである。
【００１１】
本発明は、上記の課題を解決するための第５の手段として、上記第１乃至第４のいずれかの解決手段において、フィルタは、更にプレフィルタを有し、プレフィルタはファンよりも上流側に設置されていることを特徴とする空気清浄機を提供するものである。
【００１２】
本発明は、上記の課題を解決するための第６の手段として、上記第５の解決手段において、メインフィルタはプレフィルタよりも細かい目を有し、プレフィルタを通過した除去物質を捕捉することを特徴とする空気清浄機を提供するものである。
【００１３】
本発明は、上記の課題を解決するための第７の手段として、上記第４乃至第６のいずれかの解決手段において、プレフィルタは、吸込口に取り付けられていることを特徴とする空気清浄機を提供するものである。
【００１４】
本発明は、上記の課題を解決するための第８の手段として、上記第１乃至第７のいずれかの解決手段において、清浄機本体内の吸込口とメインフィルタとの間に、清浄機本体内に吸引した除去物質が吸込口まで逆流するのを抑制する逆流抑制手段が更に設けられていることを特徴とする空気清浄機を提供するものである。
【００１５】
本発明は、上記の課題を解決するための第９の手段として、上記第８の解決手段において、逆流抑制手段は、ファンとメインフィルタとの間に配置され、ファンからの送風を下流側へ通気する一方、ファンより下流側に存在する除去物質の逆流を抑制する孔が形成された逆流防止パネルであることを特徴とする空気清浄機を提供するものである。
【００１６】
本発明は、上記の課題を解決するための第１０の手段として、上記第８の解決手段において、逆流抑制手段は、吸込口とファンとの間に配置され、ファンにより清浄機本体内に吸引された除去物質が吸込口まで逆流するのを抑制する孔が形成された逆流防止パネルであることを特徴とする空気清浄機を提供するものである。
【００１７】
本発明は、上記の課題を解決するための第１１の手段として、上記第１乃至第１０のいずれかの解決手段において、ファンは、プロペラファンであることを特徴とする空気清浄機を提供するものである。
【００１８】
本発明は、上記の課題を解決するための第１２の手段として、上記第１乃至第１１のいずれかの解決手段において、吸込口は清浄機本体の側面に形成されていることを特徴とする空気清浄機を提供するものである。
【００１９】
本発明は、上記の課題を解決するための第１３の手段として、上記第１２の解決手段において、吸込口は、清浄機本体の前面パネルの左右端よりも清浄機本体の中央側に凹んだ位置に形成されていることを特徴とする空気清浄機を提供するものである。
【００２０】
本発明は、上記の課題を解決するための第１４の手段として、上記第１乃至第１３のいずれかの解決手段において、吹出口は清浄機本体の前面に形成されていることを特徴とする空気清浄機を提供するものである。
【００２１】
本発明は、上記の課題を解決するための第１５の手段として、上記第１乃至第１４のいずれかの解決手段において、フィルタは清浄機本体に着脱自在に取り付けられていることを特徴とする空気清浄機を提供するものである。
【００２２】
本発明は、上記の課題を解決するための第１６の手段として、上記第５乃至第１５のいずれかの解決手段において、プレフィルタは、ペットの毛や埃塵を捕捉することができる０．１ｍｍ〜３ｍｍの目を有することを特徴とする空気清浄機を提供するものである。
【００２３】
本発明は、上記の課題を解決するための第１７の手段として、上記第３乃至第１６のいずれかの解決手段において、集塵フィルタは、ＨＥＰＡフィルタ（High Efficiency Particulate Air Filter）又はＵＬＰＡフィルタ(ウルパフィルタ、Ultra Low Penetration Air Filter)その他のたばこの煙粒子、花粉、アレル物質、ウィルス、カビ菌等のμｍ単位の大きさを有する物質を捕捉することができるフィルタであることを特徴とする空気清浄機を提供するものである。
【００２４】
本発明は、上記の課題を解決するための第１８の手段として、上記第３乃至第１７のいずれかの解決手段において、脱臭フィルタは、ポリプロピレン繊維から成るシートに、臭気物質を吸着することができる活性炭を接着させて形成された活性炭フィルタであることを特徴とする空気清浄機を提供するものである。
【発明の効果】
【００２５】
本発明によれば、上記のように、花粉等を集塵するメインフィルタをファンよりも下流に設置しているため、吸込口から遠い清浄器本体の内部に吸着させることができ、花粉等の除去物質が吹出口から逆流して外部に再飛散することを抑制することができる実益がある。
【００２６】
この場合、本発明によれば、上記のように、メインフィルタの除去物質の吸着面が清浄本体の内側を向くように配置しているため、花粉等の除去物質が吹出口から流出することもなく、除去物質を効率良く除去することができる実益もある。
【００２７】
また、本発明によれば、上記のように、更に、ファンよりも上流側に目の大きいプレフィルタも設置しているため、このプレフィルタにより、吸気抵抗を大きくすることなく、清浄器本体内部のメインフィルタに吸着された除去物質の吸込口を介した逆流による再飛散を抑制することができると同時に、除去物質を大きさに応じて区分けして吸着することができ、メインフィルタにはプレフィルタを通過した花粉等の比較的小さな除去物質のみが吸着されるため、比較的大きな除去物質に花粉等の比較的小さめの除去物質が付着して、この比較的大きな除去物質と共に、外部に再飛散するのを抑制することもできる実益がある。
【００２８】
本発明によれば、上記のように、逆流防止パネル等の逆流抑制手段を設けているため、より一層確実に、清浄器本体内部に吸着された除去物質の吸込口からの再飛散を抑制することができる実益がある。
【００２９】
本発明によれば、上記のように、ファンとしてプロペラファン（軸流ファン）を使用しているため、清浄機本体、ひいては、この清浄機本体に形成される吸込口を比較的小さく設定することができ、それだけ花粉等の除去物質の再飛散を抑制する確率を高めると同時に、持ち運びが容易という可搬性の空気清浄機の特徴を生かすことができる実益がある。
【００３０】
加えて、本発明によれば、上記のように、清浄機本体の側面から吸気する一方、前面から浄化後の空気を吐出しているため、吸込口と吹出口が前後方向に対向して設置されている場合に比べ、流路が複雑となり、それだけ、吸込口からの除去物質の再飛散の確率を抑制することができる実益がある。
【００３１】
更に、本発明によれば、上記のように、清浄機本体の側面に設けられた吸込口を清浄機本体の両端から凹んだ位置に形成しているため、屋内の壁や角等に設置しても空気を浄化することができるため、持ち運び可能な空気清浄機の利便性を活かして任意の場所での空気の浄化及び除去物質の再飛散を抑制することができる実益がある。
【発明を実施するための最良の形態】
【００３２】
本発明の実施の形態を図面を参照しながら詳細に説明すると、図１乃至図５は、本発明の空気清浄機１０を示し、この空気清浄機１０は、可搬型の清浄機本体１２と、この清浄機本体１２の内部に配置されたファン１４と、清浄機本体１２に取り付けられるフィルタ１６とを備えている。
【００３３】
＜１．清浄機本体＞
清浄機本体１２は、図５に示すように、前面部１２Ａと、この前面部１２Ａに取り付けられる後面部１２Ｂとから成り、内部にファン１４等を格納するようにして組み付けられ、図１乃至図４に示すように、吸込口１８及び吹出口２０を備えている。この場合、吸込口１８は、図１乃至図４に示すように、清浄機本体１２の側面１２ａに形成され、一方、吹出口２０は清浄機本体１２の前面１２ｂに形成されている。従って、本発明においては、浄化すべき空気は、図４の矢印Ａに示すように、側面１２ａに形成された吸込口１８から清浄機本体１２内に取り入れられて、図４の矢印Ｂに示すように、前面１２ｂに形成された吹出口２０から外部へ吐出される。
【００３４】
このため、吸込口１８と吹出口２０が前後方向に対向して設置されている場合に比べ、図４に示すように、流路が複雑となり、それだけ、吸込口１８からの除去物質の再飛散の確率を抑制することができると共に、ファン１４の稼働時の騒音も低減することができる。加えて、浄化後の空気を前面１２ｂから家屋内に供給するため、広範囲に効率良く浄化後の空気を供給することもできる一方、背面からの吸排気は行われないため、背面を壁等に近付けて設置することも可能であり、可搬性を有する空気清浄機１０の任意の箇所に設置できるという機能を最大限に発揮させることができる。なお、図１乃至図３において、符号２２は、吹出口２０から家屋内に供給される浄化後の空気の風向きを調整するルーバーを示し、図１、図２及び図４において、符号２３は、電源及び流量調整のスイッチを示し、図５において、符号２５は、空気清浄機を搬送するための持ち手を示す。
【００３５】
また、吸込口１８は、図１乃至図５に示すように、清浄機本体１２において、ルーバー２２等が設けられた前面パネル２４の左右端よりも清浄機本体１２の中央側に凹んだ位置に形成されている。このため、側面１２ａを壁等に近付けて設置しても、吸込口１８からの吸気を確保することができるため、可搬性を有する空気清浄機１０の任意の箇所に設置できるという機能を最大限に発揮させることができ、特に、自動車の座席等に載置して使用することもできる。これにより、設置場所を選ばず、除去物質の再飛散を適切に抑制しながら、空気の清浄という空気清浄機１０本来の機能を適正に発揮させることができる。
【００３６】
＜２．ファン＞
また、ファン１４は、この吸込口１８から浄化すべき空気を吸入すると共に吹出口２０から空気を吐出させるもので、その種類に特に限定はないが、上記のように、清浄機本体１２の側面１２ａからの吸気及び前面１２ｂからの排気を確保するためには、図３及び図５に示すように、軸流型であるプロペラファン１４Ａを使用することが望ましい。プロペラファン１４は、シロッコファンと異なり、その軸線方向への対流を発生させるため、清浄機本体１２を大型化せずに、水平方向への空気の流れを設定しやすいからである。その結果、清浄機本体１２、ひいては、この清浄機本体１２に形成される吸込口を比較的小さく設定することができ、それだけ花粉等の除去物質の再飛散を抑制する確率を高めると同時に、持ち運びが容易という可搬性の空気清浄機１０の特徴を最大限生かすことができる。
【００３７】
＜３．フィルタ＞
また、フィルタ１６は、図示の実施の形態では、図３及び図４に示すように、メインフィルタ２６と、プレフィルタ２８とから成っている。このメインフィルタ２６は、図３及び図４に示すように、ファン１４よりも下流側であって吹出口２０よりも上流側に設置されている。具体的には、図３及び図４に示すように、ファン１４と前面パネル２４との間に設置されている。
【００３８】
従って、本発明においては、メインフィルタ２６に吸着された花粉等の除去物質を、吸込口から遠い清浄器本体１２の内部に吸着させることができ、空気清浄機１０に、持ち運びに伴う床への設置時等の衝撃や、また、吸込のＯｎ／Ｏｆｆ時に発生する正圧／負圧の逆転等が生じても、集塵した花粉等の除去物質は、ファン１４をも通過して逆流しなければ、吸込口１８を通じて清浄機本体１２から外部へ再飛散することがなく、再飛散を抑制して、清浄効果や集塵効率を向上させることができる。
【００３９】
また、この場合、メインフィルタ２６は、除去物質の吸着面が清浄本体１２の内側を向くように配置されている。即ち、ファン１４は、メインフィルタ２６に向けて、浄化すべき空気を吹き付け、メインフィルタ２６は、このファン１４と対峙する面において花粉等の除去物質を補足する。このため、メインフィルタ２６の除去物資の吸着面は、吹出口２０とは反対側を向いて設置されているため、花粉等の除去物質が吹出口２０から流出することもなく、除去物質を更に効率良く除去することができる。
【００４０】
なお、このメインフィルタ２６は、空気清浄機１０により除去すべき物質として設定された目的の物質を除去することができれば、特に、その構成に限定はないが、図示の実施の形態では、メインフィルタ２６は、主に、空気清浄機１０によって除去すべき最たる目的物である、１）たばこの煙の粒子、花粉、アレル物質（ダニの糞や死骸）、ウィルス、カビ菌、２）ペット、たばこ、トイレ、生ゴミ等の臭気等を捕捉するものとして設定されている。従って、図示の実施の形態では、図３及び図４に示すように、メインフィルタ２６は、集塵フィルタ２６Ａ及び脱臭フィルタ２６Ｂから成っている。
【００４１】
更に、この場合、図３及び図４に示すように、脱臭フィルタ２６Ｂの方が集塵フィルタ２６Ａよりも下流側（吹出口２０側）に設置されている。これは、臭気成分の粒子の方が花粉等に比し、より小さな粒子から成っているため、集塵フィルタ２６Ａを通過した臭気物質を捕捉することにより、脱臭フィルタ２６Ｂの目詰まり等を防止するためである。
【００４２】
なお、この集塵フィルタ２６Ａとしては、例えば、たばこの煙粒子、花粉、アレル物質、ウィルス、カビ菌その他のμｍ単位の大きさを有する物質を捕捉することができるフィルタを使用する。このようなフィルタとしては、例えば、ＨＥＰＡフィルタ（High Efficiency Particulate Air Filter）若しくは準ＨＥＰＡフィルタ又はＵＬＰＡフィルタ(ウルパフィルタ、Ultra Low Penetration Air Filter)等を使用することができる。
【００４３】
このＨＥＰＡフィルタは、ＪＩＳ（Ｚ８１２２）により、「定格風量で粒径が０．３μｍの粒子に対して９９．９７％以上の粒子捕集率をもち、かつ初期圧力損失が２４５Ｐａ以下の性能を持つエアフィルタ」と規定されている。その構造は、主に直径１〜１０μｍ下のガラス繊維から成る濾紙から形成され、このガラス繊維の充填率は１０％程度であり、空隙は数１０μｍの大きさを有している。また、ＵＬＰＡフィルタは、ＨＥＰＡフィルタの粒子捕集効率を更に向上させたもので、同じくＪＩＳ（Ｚ８１２２）により、「定格風量で粒径が０．１５μｍの粒子に対して９９．９９９５％以上の粒子捕集率をもち、かつ初期圧力損失が２４５Ｐａ以下の性能を持つエアフィルタ」と規定されている。このＵＬＰＡフィルタは、ＨＥＰＡフィルタの粒子捕集効率を上げるために濾材密度を高め、空気抵抗を減らすために厚みを薄くさせたものである。これらのうち、いずれを使用するかは、空気清浄機１０として性能やコスト等に応じて適宜設定することができる。
【００４４】
一方、脱臭フィルタ２６Ｂとしては、活性炭フィルタを使用することができる。この場合、図示の実施の形態では、ポリプロピレン繊維から成るシートに、臭気物質を吸着することができる活性炭を接着させて形成された活性炭フィルタを使用している。
【００４５】
また、プレフィルタ２８は、図１乃至図５に示すように、メインフィルタ２６と異なり、ファン１４よりも上流側、より具体的には、図示の実施の形態では、吸込口１８に取り付けられている。即ち、このプレフィルタ２６は、主に、清浄機本体１２内部に異物が入り込むのを防止するためのもので、ペットの毛や、埃、塵等を捕捉するためのものである。従って、プレフィルタ２８は、メインフィルタ２６の捕捉目的物である花粉の粒子等と異なり、専ら肉眼により認識することができる物質の捕捉を目的としており、その限りにおいて、これらの塵や埃等を捕捉できる程度の大きさの目、具体的には、０．１ｍｍ〜３ｍｍ程度の目に設定すれば足りる。
【００４６】
このため、メインフィルタ２６は、プレフィルタ２８よりも細かい目を有し、プレフィルタ２８を通過した除去物質、特に、μｍ単位の粒子物質を捕捉する。また、このように、プレフィルタ２８の目を、メインフィルタ２６に比し、ある程度、大きく設定することにより、吸込口１８からの吸気の際にプレフィルタ２８が大きな抵抗となることもない。但し、このプレフィルタ２８が目詰まりを起こすと、吸気効率が低下することから、プレフィルタ２８は、比較的、清掃しやすい箇所に設定することが望ましく、その意味で、図示の実施の形態でも、吸込口１８に取り付けている、但し、ファン１４よりも上流側で、清掃が可能な箇所であれば、その設置箇所に特に限定はなく、ファン１４の直前等に設置することもできる。
【００４７】
更に、このプレフィルタ２８により、清浄器本体１２内部のメインフィルタ２６に吸着された花粉等の除去物質の吸込口１８を介した逆流による再飛散を抑制することができると同時に、除去物質を大きさに応じて区分けして吸着することができるので、メインフィルタ２６にはプレフィルタ２８を通過した花粉等の比較的小さな除去物質のみが吸着されるため、比較的大きな除去物質に花粉等の比較的小さめの除去物質が付着して、この比較的大きな除去物質と共に、花粉等の粒子状の除去物質が外部に再飛散するのを抑制することもできる。但し、このプレフィルタ２８は、上記のように、主に、清浄機本体１２内部への異物の侵入防止が主目的であるため、必要に応じて設定すれば足り、本発明におけるフィルタ１６としては、少なくともメインフィルタ２６を備えていれば足りる。
【００４８】
また、これらのフィルタ１６は、清浄機本体１２に着脱自在に取り付けられている。具体的には、メインフィルタ２６は、前面パネル２４を着脱自在とすることにより、清浄機本体の前面１２ｂ側からアクセスして、着脱することができ、また、プレフィルタ２８も、図５に示すように、係止爪３０等により、吸込口１８と一体的に、清浄機本体１２に嵌合することにより、着脱自在とすることができる。これにより、これらのフィルタを簡易に清掃、あるいは、交換することができる。
【００４９】
＜４．逆流抑制手段＞
更に、本発明においては、特に、図３及び図４に示すように、清浄機本体１２内の吸込口１８とメインフィルタ２６との間に、清浄機本体１２内に吸引した除去物質が吸込口１８まで逆流するのを抑制する逆流抑制手段３２が設けられている。
【００５０】
具体的には、図示の実施の形態では、この逆流抑制手段３２として、図３に示すように、ファン１４とメインフィルタ２６との間に配置された逆流防止パネル３４が設置されている。この逆流防止パネル３４には、図３及び図４に示すように、ファン１４からの送風を下流側へ通気する一方、ファン１４より下流側に存在する除去物質の逆流を抑制する孔３４ａが形成されている。
【００５１】
従って、ファン１４によりメインフィルタ２６に吹き付けられて除去された花粉等の除去物質は、衝撃等によりメインフィルタ２６から脱落したとしても、この逆流防止パネル３４により、ファン１４よりも上流側、即ち、吹出口１８側にまで逆流することが充分に抑制されるため、より一層確実に、清浄器本体１２内部に吸着された除去物質の吸込口１８からの再飛散を抑制することができる。
【００５２】
但し、この逆流抑制手段３２は、メインフィルタ２６により捕捉した花粉等の除去物質が吸込口１８まで逆流するのを抑制することができれば、特に、その構成に限定はなく、図示の実施の形態と異なり、吸込口１８とファン１４との間、即ち、ファン１４の上流側に配置され、ファン１４により清浄機本体１２内に吸引された除去物質が吸込口１８まで逆流するのを抑制する孔が形成された逆流防止パネルとすることもできる。
【産業上の利用可能性】
【００５３】
本発明は、例えば、住宅やオフィス等の屋内において、持ち運んで任意の箇所に設置することができる空気清浄機として、設置場所を問わず、適せ鬱に空気を清浄することに広く適用することができる。
【図面の簡単な説明】
【００５４】
【図１】本発明の空気清浄機の斜視図である。
【図２】本発明の空気清浄機の側面図である。
【図３】本発明の空気清浄機の縦断面図である。
【図４】本発明の空気清浄機の一破断横断面図である。
【図５】本発明の空気清浄機の分解斜視図である。
【符号の説明】
【００５５】
１０  空気清浄機
１２  清浄機本体
１２Ａ  前面部
１２Ｂ  後面部
１２ａ  側面
１２ｂ  前面
１４  ファン
１４Ａ  プロペラファン
１６  フィルタ
１８  吸込口
２０  吹出口
２２  ルーバー
２３  スイッチ
２４  前面パネル
２５  持ち手
２６  メインフィルタ
２６Ａ  集塵フィルタ
２６Ｂ  脱臭フィルタ
２８  プレフィルタ
３０  係止爪
３２  逆流抑制手段
３４  逆流抑制パネル
【図１】
2008093639.tif 000003
【図２】
2008093639.tif 000004
【図３】
2008093639.tif 000005
【図４】
2008093639.tif 000006
【図５】
2008093639.tif 000007